(57)【要約】圧縮強度に優れ、大きな荷重が作用しても変形しにくい包装箱を提供する。【課題】【解決手段】側板１の両側に端板２を、上端及び下端に平板５をそれぞれ連設した厚紙製包装箱において、側板１と上端及び下端の平板５との境界となる罫線７を、側板１の中心部へ向けて、Ｖ字状や弧状に曲げる。箱の天面及び底面において、側板１の中間部より強度に優れたコーナー部に大きな荷重を負担させることができ、重量物を収納して多数段積み上げる場合などにも、箱の変形を防止する効果を確実に得ることができる。【選択図】図２
2007039090.tif 000002
【特許請求の範囲】
【請求項１】
側板１の両側に端板２を、上端及び下端に平板５をそれぞれ連設した厚紙製包装箱において、側板１と上端及び下端の平板５との境界となる罫線７を、側板１の中心部へ向けて窪むように曲げたことを特徴とする厚紙製包装箱。
【請求項２】
前記上端及び下端の罫線７を、Ｖ字状に曲げたことを特徴とする請求項１に記載の厚紙製包装箱。
【請求項３】
前記上端及び下端の罫線７を、弧状に曲げたことを特徴とする請求項１に記載の厚紙製包装箱。
【請求項４】
前記上端及び下端の罫線７を、両端部が弧状で中間部が直線状となるように曲げたことを特徴とする請求項１に記載の厚紙製包装箱。
【請求項５】
請求項１乃至４のいずれかに記載の厚紙製包装箱において、側板１及び端板２を縦筒状に連設し、その下端から延びる平板５，６を貼り合わせて底面を閉じ、物品収納後、上端から延びる平板５，６を重ね合わせて封緘する溝切り形とした厚紙製包装箱。
【請求項６】
請求項１乃至４のいずれかに記載の厚紙製包装箱において、側板１と平板５とを、物品を包み込みつつ横筒状に連設し、その両側から延びる端板２，３を重ね合わせて封緘するラップラウンド形とした厚紙製包装箱。
【発明の詳細な説明】
【技術分野】
【０００１】
この発明は、罫線を曲げて圧縮強度を強化した厚紙製包装箱に関するものである。
【背景技術】
【０００２】
一般に、物品を梱包する際には、図５及び図６に示すように、各一対の側板１及び端板２を継代４を介して縦筒状に連設し、その下端から延びる平板５，６を重ね合わせて底面を閉じ、物品収納後、上端から延びる平板５，６を重ね合わせて封緘する溝切り形の段ボール製包装箱が使用されている。
【０００３】
また、図９及び図１０に示すように、各一対の側板１と平板５とを、物品を包み込みつつ継代４を介して横筒状に連設し、その両側から延びる端板２，３を重ね合わせて封緘するラップラウンド形の段ボール製包装箱が使用されることもある。
【０００４】
これらの包装箱において、側板１と上端及び下端の平板５との境界となる罫線７は、全長に亘って直線となっている。
【０００５】
ところで、包装箱の圧縮強度は、側板の中間部よりもコーナー部の方が大きくなることが知られているが、上記包装箱では、側板の中間部にもコーナー部と同様の荷重が作用するため、側板が座屈しやすく、箱全体の圧縮強度が弱くなるという問題がある。
【０００６】
その対策として、下記特許文献１には、側板と下端の平板との境界となる罫線を、側板の中心部へ向けて曲げることにより、側板の中間部よりもコーナー部に大きな荷重を負担させ、箱の変形を防止しようとする技術が記載されている。
【０００７】
【特許文献１】特開平５−１９３６４２号公報
【発明の開示】
【発明が解決しようとする課題】
【０００８】
しかしながら、上記特許文献１に記載されたように、下端の罫線を曲げるだけでは、重量物を収納して多数段積み上げる場合など、大きな荷重が作用する場合、箱の変形防止効果を十分に得られないという問題がある。
【０００９】
そこで、この発明は、圧縮強度に優れ、大きな荷重が作用しても変形しにくい厚紙製の包装箱を提供することを課題とする。
【課題を解決するための手段】
【００１０】
上記課題を解決するため、この発明では、側板の両側に端板を、上端及び下端に平板をそれぞれ連設した厚紙製包装箱において、側板と上端及び下端の平板との境界となる罫線を、側板の中心部へ向けて窪むように曲げたのである。
【００１１】
なお、前記上端及び下端の罫線は、Ｖ字状又は弧状に曲げるとよい。また、両端部が弧状で中間部が直線状となるように曲げてもよい。
【発明の効果】
【００１２】
この発明に係る包装箱では、箱の底面だけでなく天面においても、側板の中間部より強度に優れたコーナー部に大きな荷重を負担させることができ、重量物を収納して多数段積み上げる場合などにも、箱の変形を防止する効果を確実に得ることができる。
【発明を実施するための最良の形態】
【００１３】
まず、この発明の第１実施形態である溝切り形の段ボール箱について、図１及び図２に基づいて説明する。なお、ここでは、図５及び図６と共通の符号を使用する。
【００１４】
この包装箱の段ボールブランクでは、図１に示すように、各一対の側板１及び端板２が交互に連設され、一方の側板１の外側に継代４が連設されている。各側板１の上下端には平板５が、各端板２の上下端には平板６がそれぞれ連設され、側板１と上下の平板５との境界となる罫線７は、側板１の中心部へ向けてＶ字状に曲げられている。
【００１５】
この包装箱を使用する際には、図２に示すように、各一対の側板１及び端板２を継代４を介して縦筒状に連設し、下端の平板５，６を貼り合わせて底面を閉じ、物品を収納した後、上端の平板５，６を重ね合わせて封緘する。
【００１６】
上記のような包装箱では、箱の底面だけでなく天面においても、長手方向で側面との稜線中間部が凹んだ状態となり、側板１の中間部より強度に優れたコーナー部に大きな荷重を負担させることができるので、重量物を収納して多数段積み上げる場合などにも、箱の変形を防止する効果を確実に得ることができる。
【００１７】
具体的には、ＪＩＳ  Ｚ  ０２１２に基づいて圧縮試験を行った場合、図５及び図６に示す従来の包装箱では、圧縮強度が１７００Ｎであったところ、図１及び図２に示す実施形態では、圧縮強度が２４００Ｎとなった。因みに、下端の罫線のみ曲げた包装箱では、圧縮強度が１９００Ｎに留まる結果となった。
【００１８】
なお、この実施形態において、側板１の上下の罫線７を、ブランク状態で図３に示すように、側板１の中心部へ向けて弧状に曲げた場合や、図４に示すように、両端部が弧状で中間部が直線状となるように曲げた場合にも、同様の効果を得ることができる。
【００１９】
次に、この発明の第２実施形態であるラップラウンド形の段ボール箱について、図７及び図８に基づいて説明する。なお、ここでは、図９及び図１０と共通の符号を使用する。
【００２０】
この包装箱の段ボールブランクでは、図７に示すように、各一対の側板１及び平板５が交互に連設され、一方の平板５の外側には継代４が連設されている。各側板１の両端には端板２が、各平板５の両端には端板３がそれぞれ連設され、組立時に側板１と上下の平板５との境界となる罫線７は、側板１の中心部へ向けてＶ字状に曲げられている。
【００２１】
この包装箱を使用する際には、図８に示すように、各一対の側板１と平板５とを、物品を包み込みつつ継代４を介して横筒状に連設し、その両側から延びる端板２，３を重ね合わせて封緘する。
【００２２】
上記のような包装箱でもまた、箱の底面だけでなく天面において、長手方向で側面との稜線中間部が窪んだ状態となり、側板１の中間部より強度に優れたコーナー部に大きな荷重を負担させることができるので、多数段の積み上げ等により大きな荷重が作用しても、箱の変形を防止する効果を確実に得ることができる。
【００２３】
具体的には、ＪＩＳ  Ｚ  ０２１２に基づいて圧縮試験を行った場合、図９及び図１０に示す従来の包装箱では、圧縮強度が３３００Ｎであったところ、図７及び図８に示す実施形態では、圧縮強度が４０００Ｎとなった。
【００２４】
なお、この実施形態においても、側板１の上下の罫線７を、側板１の中心部へ向けて弧状に曲げ、又は、両端部が弧状で中間部が直線状となるように曲げることにより、Ｖ字状に曲げたものと同様の効果を得ることができる。
【００２５】
ところで、上記各実施形態では、直方体状の包装箱を例示したが、周壁が六角筒や八角筒の多角筒をなす包装箱においても、対向する側板の上端及び下端の罫線を側板の中心部へ向けて窪むように曲げることにより、同様の効果を得ることができる。
【図面の簡単な説明】
【００２６】
【図１】この発明の第１実施形態に係る包装箱のブランクを示す図
【図２】同上の包装箱の組立状態を示す斜視図
【図３】同上の他の罫線を入れたブランクを示す図
【図４】同上の他の罫線を入れたブランクを示す図
【図５】従来の溝切り形包装箱のブランクを示す図
【図６】同上の包装箱の組立状態を示す斜視図
【図７】この発明の第２実施形態に係る包装箱のブランクを示す図
【図８】同上の包装箱の組立状態を示す斜視図
【図９】従来のラップラウンド形包装箱のブランクを示す図
【図１０】同上の包装箱の組立状態を示す斜視図
【符号の説明】
【００２７】
１  側板
２，３  端板
４  継代
５，６  平板
７  罫線
【図１】
2007039090.tif 000003
【図２】
2007039090.tif 000004
【図３】
2007039090.tif 000005
【図４】
2007039090.tif 000006
【図５】
2007039090.tif 000007
【図６】
2007039090.tif 000008
【図７】
2007039090.tif 000009
【図８】
2007039090.tif 000010
【図９】
2007039090.tif 000011
【図１０】
2007039090.tif 000012